(57)【要約】【課題】把持対象物を確実に把持すること、把持される把持対象物の損傷を防止すること、および、製造コストを低減することが可能な医療用把持具を提供する。【解決手段】手術時または治療時に所定の把持対象物を把持する医療用把持具１は、把持対象物を挟むように把持する一対の把持部１ａを備えている。把持部１ａには、把持対象物に接触する把持面１ｆが形成され、把持面１ｆには、ダイヤモンドの粒子やｃＢＮの粒子等の硬質の微細粒が電着固定されている。【選択図】図１
2016101326.tif 000002
【特許請求の範囲】
【請求項１】
手術時または治療時に所定の把持対象物を把持する医療用把持具において、
前記把持対象物に接触する把持面を有し前記把持対象物を挟むように把持する一対の把持部を備え、
前記把持面には、硬質の微細粒が電着固定されていることを特徴とする医療用把持具。
【請求項２】
前記微細粒は、ダイヤモンドの粒子であることを特徴とする請求項１記載の医療用把持具。
【請求項３】
前記微細粒は、ｃＢＮの粒子またはセラミックスの粒子であることを特徴とする請求項１記載の医療用把持具。
【請求項４】
前記微細粒は、ニッケルメッキを用いたニッケル電着法によって前記把持面に固着されていることを特徴とする請求項１から３のいずれかに記載の医療用把持具。
【請求項５】
前記把持面には、ニッケルメッキ層を覆う金メッキ層が形成されていることを特徴とする請求項４記載の医療用把持具。
【発明の詳細な説明】
【技術分野】
【０００１】
本発明は、手術や治療で使用される鉗子や持針器等の医療用把持具に関する。
【背景技術】
【０００２】
従来、手術で使用される医療用の持針器が知られている（たとえば、特許文献１参照）。特許文献１に記載の持針器は、縫合針を把持する一対の把持部を備えている。把持部には、縫合針に接触する把持面が形成されている。把持面には、縫合針の滑りを防止して縫合針を確実に把持するために、微細な凹凸が形成されている。また、従来、手術で使用される医療用の鉗子が知られている（たとえば、特許文献２参照）。特許文献２に記載の鉗子は、血管や体内組織等を把持する一対の把持部を備えており、把持部には、把持部に把持される血管等に接触する把持面が形成されている。なお、特許文献２に記載された鉗子等の従来の鉗子においても、把持部に把持される血管等を確実に把持するため、把持面に微細な凹凸が形成されているものがある。
【先行技術文献】
【特許文献】
【０００３】
【特許文献１】特開２０００−２８７９８０号公報
【特許文献２】特開平９−２８５４７０号公報
【発明の概要】
【発明が解決しようとする課題】
【０００４】
従来の持針器や鉗子では、たとえば、切削加工によって把持面に凹凸が形成されるが、微細な凹凸が把持面に形成されると、把持面の加工工数が増えて、持針器や鉗子の製造コストが嵩む。また、従来の持針器や鉗子では、たとえば、切削加工によって把持面に規則的な凹凸が形成されるため、対向する一方の把持面の凹凸と他方の把持面の凹凸との噛み合わせがずれると、一方の把持面と他方の把持面との間に隙間が生じて、縫合針を確実に把持できない場合や、血管を確実に把持することができずに十分な止血を行うことができない場合等が生じうる。さらに、従来の鉗子では、たとえば、切削加工によって把持面に凹凸が形成されるため、極めて微細な凹凸を把持面に形成することは困難であるが、従来の鉗子は、凹凸が形成される把持面によって組織や血管を挟むように把持するため、極めて微細な凹凸が把持面に形成されていないと、把持面に挟まれる組織や血管の特定部分に応力が集中して、組織が断裂したり、血管が破断したりするおそれがある。
【０００５】
そこで、本発明の課題は、手術や治療で使用される鉗子や持針器等の医療用把持具において、把持対象物を確実に把持すること、把持される把持対象物の損傷を防止すること、および、製造コストを低減することが可能な医療用把持具を提供することにある。
【課題を解決するための手段】
【０００６】
上記の課題を解決するため、本発明の医療用把持具は、手術時または治療時に所定の把持対象物を把持する医療用把持具において、把持対象物に接触する把持面を有し把持対象物を挟むように把持する一対の把持部を備え、把持面には、硬質の微細粒が電着固定されていることを特徴とする。
【０００７】
本発明の医療用把持具では、把持対象物に接触する把持面に硬質の微細粒が電着固定されている。そのため、本発明では、従来の持針器や鉗子のように、対向する一方の把持面の凹凸と他方の把持面の凹凸との噛み合わせがずれるといった現象は生じない。また、把持面に極めて微細な凹凸を形成することが可能になる。したがって、本発明では、医療用把持具によって把持対象物を確実に把持することが可能になる。また、本発明では、把持面に極めて微細な凹凸を形成することが可能になるため、把持面に挟まれる把持対象物に作用する応力を分散させることが可能になり、その結果、把持面に挟まれる把持対象物の特定部分に応力が集中しにくくなる。したがって、本発明では、医療用把持具に把持される把持対象物の損傷を防止することが可能になる。さらに、本発明では、把持面に微細粒が電着固定されており、凹凸を形成するための切削加工を把持面に対して行う必要はない。また、バッチ処理によって、把持面に微細粒を電着固定することができる。したがって、本発明では、医療用把持具の製造コストを低減することが可能になる。また、本発明では、把持面に硬質の微細粒が電着固定されているため、把持面の耐摩耗性を高めることが可能になる。また、本発明では、把持面に微細粒が電着固定されているため、摩耗した把持面からメッキを剥離して再電着することで、硬質の微細粒を把持面に再度、固着することが可能になる。
【０００８】
本発明において、微細粒は、たとえば、ダイヤモンドの粒子である。この場合には、把持面の耐摩耗性を効果的に高めることが可能になる。
【０００９】
本発明において、微細粒は、ｃＢＮの粒子、または、セラミックスの粒子であることが好ましい。このように構成すると、微細粒がダイヤモンドの粒子である場合と比較して、微細粒のコストを低減することが可能になる。また、このように構成すると、微細粒がダイヤモンドの粒子である場合と比較して、微細粒を任意の形状に加工しやすくなる。したがって、医療用把持具に把持される把持対象物に応じた適切な形状に微細粒を形成することが可能になる。たとえば、医療用把持具に把持される把持対象物に応じて、鋭利な角部を有する微細粒を形成したり、角部のない球状の微細粒を形成したりすることが可能になる。その結果、把持される把持対象物の損傷を確実に防止しつつ、把持対象物をより確実に把持することが可能になる。
【００１０】
本発明において、微細粒は、たとえば、ニッケルメッキを用いたニッケル電着法によって把持面に固着されている。また、この場合には、把持面に、ニッケルメッキ層を覆う金メッキ層が形成されていることが好ましい。このように構成すると、把持面にニッケルメッキが露出しない。したがって、ニッケルアレルギーの患者に対しても、医療用把持具を用いた手術や治療が可能になる。また、このように構成すると、金メッキ層の作用で、把持面の表面が光るため、目視にて、電着層の剥がれを確認することが可能になる。
【発明の効果】
【００１１】
以上のように、本発明では、医療用把持具によって把持対象物を確実に把持すること、医療用把持具に把持される把持対象物の損傷を防止すること、および、医療用把持具の製造コストを低減することが可能になる。
【図面の簡単な説明】
【００１２】
【図１】本発明の実施の形態にかかる医療用把持具の平面図である。
【図２】図１に示す把持面の構成を説明するための拡大図である。
【発明を実施するための形態】
【００１３】
以下、図面を参照しながら、本発明の実施の形態を説明する。
【００１４】
（医療用把持具の構成）
図１は、本発明の実施の形態にかかる医療用把持具１の平面図である。図２は、図１に示す把持面１ｆの構成を説明するための拡大図である。
【００１５】
本形態の医療用把持具１は、手術時または治療時に所定の把持対象物を把持する器具である。具体的には、本形態の医療用把持具１は、把持対象物である患者の血管や体内組織を把持する鉗子である。したがって、以下では、本形態の医療用把持具１を「鉗子１」と表記する。鉗子１は、連結軸２と、連結軸２によって互いに相対回動可能に連結される一対の鉗子部材３、４とによって構成されている。鉗子部材３、４は、生体毒性の少ない（または生体毒性のない）金属材料で形成されている。具体的には、鉗子部材３、４は、ステンレス鋼で形成されている。なお、鉗子部材３、４は、チタン合金で形成されても良いし、タングステンカーバイトで形成されても良い。
【００１６】
また、鉗子１は、血管や体内組織を挟むように把持する一対の把持部１ａと、手術や治療を行う医師等の指が挿入される一対の指環１ｂと、連結軸２によって連結される一対の連結部１ｃと、連結部１ｃと指環１ｂとを繋ぐ一対のアーム１ｄとから構成されている。把持部１ａは、鉗子１の先端側部分を構成し、指環１ｂは、鉗子１の基端側部分を構成している。また、把持部１ａの基端に連結部１ｃが繋がっている。
【００１７】
一対の把持部１ａの少なくとも先端側部分は、患者の体内に挿入されて血管や体内組織を把持する。把持部１ａには、血管や体内組織に接触する把持面１ｆが形成されている。把持面１ｆには、硬質の微細粒が電着固定されている（図２参照）。把持面１ｆに固定される微細粒の大きさは、１０μｍ〜１００μｍ程度となっている。本形態の微細粒は、ダイヤモンドの粒子である。
【００１８】
微細粒（具体的には、ダイヤモンドの粒子）は、ニッケルメッキを用いたニッケル電着法によって把持面１ｆに固着されている。すなわち、把持面１ｆには、ニッケルメッキ層が形成されており、このニッケルメッキ層に微細粒が固着されている。また、微細粒が電着固定された後の把持面１ｆには、金メッキが施されており、ニッケルメッキ層は、金メッキ層に覆われている。すなわち、把持面１ｆには、ニッケルメッキ層を覆う金メッキ層が形成されている。
【００１９】
（本形態の主な効果）
以上説明したように、本形態の鉗子１では、把持面１ｆに硬質の微細粒が電着固定されている。そのため、本形態では、従来の鉗子のように、対向する一方の把持面の凹凸と他方の把持面の凹凸との噛み合わせがずれるといった現象は生じない。また、本形態では、把持面１ｆに極めて微細な凹凸を形成することが可能になる。したがって、本形態では、鉗子１によって血管や体内組織を確実に把持することが可能になる。また、本形態では、把持面１ｆに極めて微細な凹凸を形成することが可能になるため、把持面１ｆに挟まれる血管や体内組織に作用する応力を分散させることが可能になり、その結果、血管や体内組織の特定部分に応力が集中しにくくなる。したがって、本形態では、鉗子１に把持される血管や体内組織の損傷を防止することが可能になる。
【００２０】
さらに、本形態では、把持面１ｆに微細粒が電着固定されており、凹凸を形成するための切削加工を把持面１ｆに対して行う必要はない。また、バッチ処理によって、把持面１ｆに微細粒を電着固定することができる。したがって、本形態では、鉗子１の製造コストを低減することが可能になる。また、本形態では、把持面１ｆに硬質の微細粒が電着固定されているため、把持面１ｆの耐摩耗性を高めることが可能になる。特に本形態では、ダイヤモンドの粒子が把持面１ｆに固着されているため、把持面１ｆの耐摩耗性を効果的に高めることが可能になる。また、本形態では、把持面１ｆに微細粒が電着固定されているため、摩耗した把持面１ｆからメッキを剥離して再電着することで、硬質の微細粒を把持面１ｆに再度、固着することが可能になる。
【００２１】
本形態では、把持面１ｆに微細粒を電着固定する際に形成されるニッケルメッキ層が金メッキ層によって覆われている。そのため、把持面１ｆにニッケルメッキが露出しない。したがって、本形態では、ニッケルアレルギーの患者に対しても、鉗子１を用いた手術や治療が可能になる。また、本形態では、金メッキ層の作用で、把持面１ｆの表面が光るため、目視にて、電着層の剥がれを確認することが可能になる。
【００２２】
（他の実施の形態）
上述した形態では、把持面１ｆに電着固定される微細粒は、ダイヤモンドの粒子であるが、把持面１ｆに電着固定される微細粒は、ｃＢＮ（立方晶窒化ホウ素）の粒子であっても良い。また、把持面１ｆに電着固定される微細粒は、ガラス等のセラミックスの粒子であっても良い。この場合には、把持面１ｆに電着固定される微細粒がダイヤモンドの粒子である場合と比較して、微細粒のコストを低減することが可能になる。また、この場合には、把持面１ｆに電着固定される微細粒がダイヤモンドの粒子である場合と比較して、微細粒を任意の形状に加工しやすくなる。したがって、鉗子１に把持される血管や体内組織に応じた適切な形状に微細粒を形成することが可能になる。たとえば、鉗子１に把持される血管や体内組織に応じて、鋭利な角部を有する微細粒を形成したり、角部のない球状の微細粒を形成したりすることが可能になる。その結果、鉗子１に把持される血管や体内組織の損傷を確実に防止しつつ、血管や体内組織をより確実に把持することが可能になる。
【００２３】
上述した形態の医療用把持具１は、鉗子であるが、本発明が適用される医療用把持具１は、鉗子以外の器具であっても良い。たとえば、本発明が適用される医療用把持具１は、把持対象物である縫合針を把持する持針器であっても良い。また、医療用把持具１は、鑷子（ピンセット）であっても良い。また、上述した形態では、把持面１ｆに、ニッケルメッキ層を覆う金メッキ層が形成されているが、把持面１ｆに金メッキ層が形成されていなくても良い。
【符号の説明】
【００２４】
１  鉗子（医療用把持具）
１ａ  把持部
１ｆ  把持面
【図１】
2016101326.tif 000003
【図２】
2016101326.tif 000004